(57)【特許請求の範囲】
【請求項１】
複数の文字入力キーの操作によって、ひらがな、カタカナ、ローマ字及び数字を含む複数の文字を入力し、入力した文字をディスプレイに表示することが可能な携帯電話機において、
前記複数の文字が、それぞれ２以上の文字からなる複数の文字グループに分類されて、各文字グループが１つの文字入力キーに割り当てられると共に、各文字入力キーに割り当てられた２以上の文字が各文字入力キーの操作回数によって複数の小グループに分類されている割り当てテーブルと、
任意の１つの文字入力キーの操作に応じて、前記割り当てテーブルによって該文字入力キーに割り当てられている文字グループに含まれる複数の文字の内、該文字入力キーの操作回数に応じた小グループに含まれている文字をディスプレイに表示する文字グループ表示手段と、
文字選択操作に応じて、前記ディスプレイに表示されている複数の文字の中から任意の１つの文字を選択するための文字選択手段と、
前記文字選択手段により選択された文字を入力文字としてディスプレイに表示する確定文字表示手段
とを具えていることを特徴とする携帯電話機。
【請求項２】
更に、文字変換操作に応じて、ディスプレイに表示されている１或いは複数のひらがなを、対応するカタカナ又は漢字に変換する文字変換手段を具えている請求項１に記載の携帯電話機。
【請求項３】
文字グループ表示手段は、文字入力キーの操作の回数に応じて、該文字入力キーに割り当てられている文字グループを小グループ毎に複数文字ずつ順次表示する請求項１又は請求項２に記載の携帯電話機。
【請求項４】
文字グループ表示手段は、小グループに含まれる文字をディスプレイの補助画面に表示し、確定文字表示手段は、確定された文字をディスプレイの文字入力画面に表示する請求項１乃至請求項３の何れかに記載の携帯電話機。
【発明の詳細な説明】
【０００１】
【発明の属する技術分野】
本発明は、複数の文字入力キーの操作によって、ひらがな、カタカナ、ローマ字及び数字を含む複数の文字を入力し、入力した文字をディスプレイに表示することが可能な携帯電話機に関するものである。
【０００２】
【従来の技術】
従来、携帯電話機においては、０〜９のテンキーを用いて数字の入力が可能であると共に、例えば電子メールの作成時には、文字入力モードを数字モードから漢字モードや英語モードに切り換えることによって、テンキーの操作でひらがなやローマ字を入力することが可能である。
例えば図７に示す漢字モードでは、全てのひらがなが１０個のテンキーに割り当てられており、これらの文字入力キーの１或いは複数回の操作によって、全てのひらがなを入力することが出来る。
【０００３】
又、図８に示す英語モードでは、全てのローマ字の大文字及び小文字、並びに各種記号が、１０個のテンキーと、＊キー及び＃キーに割り当てられており、これらの文字入力キーの１或いは複数回の操作によって、全てのローマ字の大文字及び小文字、並びに各種記号を入力することが出来る。
更に、図９に示す英数字モードでは、前記英語モードでの入力文字と０〜９の数字が各文字入力キーに割り当てられており、１２個の文字入力キーの１或いは複数回の操作によって、前記英語モードでの入力文字と０〜９の数字を入力することが出来る。
【０００４】
【発明が解決しようとする課題】
しかしながら、従来の携帯電話機においては、電子メール作成時などに、文章を入力する場合、漢字モードと英語モードと英数字モードの３つのモードを切り換えながら文字を入力する必要があった。
例えば「今日２時にＬＯＦＴ」と入力する場合、先ず漢字モードで「きょう」を入力し、変換キーを操作して「今日」に変換した後、英数字モードに切り換え、テンキーを操作して「２」を入力し、続いて漢字モードに切り換え、「じ」を入力し、変換キーを操作して「時」に変換した後、「に」を入力し、更に英語モードに切り換えて「ＬＯＦＴ」と入力せねばならず、モード切り換えが煩雑である問題があった。
【０００５】
そこで本発明の目的は、モード切り換えを行なうことなく、ひらがな、カタカナ、ローマ字及び数字を含む複数の文字を入力することが可能な携帯電話機を提供することである。
【０００６】
【課題を解決する為の手段】
本発明に係る携帯電話機は、複数の文字入力キーの操作によって、ひらがな、カタカナ、ローマ字及び数字を含む複数の文字を入力し、入力した文字をディスプレイに表示することが可能であって、
前記複数の文字が、それぞれ２以上の文字からなる複数の文字グループに分類されて、各文字グループが１つの文字入力キーに割り当てられると共に、各文字入力キーに割り当てられた２以上の文字が各文字入力キーの操作回数によって複数の小グループに分類されている割り当てテーブルと、
任意の１つの文字入力キーの操作に応じて、前記割り当てテーブルによって該文字入力キーに割り当てられている文字グループに含まれる複数の文字の内、該文字入力キーの操作回数に応じた小グループに含まれている文字をディスプレイに表示する文字グループ表示手段と、
文字選択操作に応じて、前記ディスプレイに表示されている複数の文字の中から任意の１つの文字を選択するための文字選択手段と、
前記文字選択手段によって選択された文字を入力文字としてディスプレイに表示する確定文字表示手段
とを具えている。
【０００７】
上記本発明の携帯電話機においては、文章の入力に際して、任意の１つの文字入力キーを操作すると、該文字入力キーに割り当てられている文字グループに含まれる複数の文字の内、該文字入力キーの操作回数に応じた小グループに含まれている文字が、ディスプレイに表示される。従って、全ての文字入力キーを順に操作することによって、各文字グループに含まれている文字を順に表示することが出来る。
ディスプレイに表示されている複数の文字は、カーソル移動などの文字選択操作によって、任意の１つを選択することが可能である。従って、文字入力キーの操作と文字選択操作によって、入力可能な文字の中から任意の文字を選択することが出来る。
そして、選択した文字を確定する操作を行なうことによって、該文字が確定され、確定された文字は、ディスプレイに表示される。
従って、上記の文字選択と文字確定の操作を繰り返すことによって、ひらがな、カタカナ、ローマ字及び数字を含む文章の入力が可能であり、この過程で入力モードの切り換えは不要である。
【０００８】
具体的には、更に、文字変換操作に応じて、ディスプレイ(８)に表示されている１或いは複数のひらがなを、対応するカタカナ又は漢字に変換する文字変換手段を具えている。
これによって、漢字まじりの文章の入力が可能となる。
【０００９】
又、具体的には、文字グループ表示手段は、文字入力キー(９)の操作の回数に応じて、該文字入力キー(９)に割り当てられている文字グループを小グループ毎に複数文字ずつ順次表示する。
これによって、ディスプレイ(８)に一度に表示すべき文字の数を減少させることが出来る。
【００１０】
【発明の効果】
本発明に係る携帯電話機によれば、モード切り換えを行なうことなく、ひらがな、カタカナ、ローマ字及び数字を含む複数の文字を入力することが出来る。
【００１１】
【発明の実施の形態】
以下、本発明の実施の形態につき、図面に沿って具体的に説明する。
本発明に係る携帯電話機は、図１に示す如く、アンテナ(10)にデュプレクサ(１)を介して受信回路(２)及び送信回路(３)を接続すると共に、受信回路(２)及び送信回路(３)には制御回路(４)を接続して構成され、マイクロホン(５)から入力された音声信号は制御回路(４)を経て送信回路(３)へ供給し、受信回路(２)から得られる音声信号は制御回路(４)を経てスピーカ(６)へ供給するものである。制御回路(４)には、文字等を入力するための複数の文字入力キー(９)と、入力した文字等を表示するためのディスプレイ(８)と、文字入力キー(９)に割り当てられている複数の文字を記憶するためのメモリ(７)とが接続されている。
【００１２】
図２は、本発明に係る携帯電話機のキー配置を表わしており、０〜９の１０個のテンキー(91)、＊キー及び＃キーによって１２個の文字入力キー(９)が構成され、その他に選択操作のための方向キー(92)、確定操作のためのＯＫキー(93)、変換操作のための変換キー(94)などが配備されている。
【００１３】
１０個のテンキー(91)のそれぞれには、図４(ａ)に示す如く、ひらがな、カタカナ、ローマ字の大文字及び小文字、並びに数字からなる複数の文字が割り当てられており、１つのテンキー(91)に割り当てられた複数文字のグループは更に、キー操作の回数によって小グループに分けられている。そして、この割り当てテーブルは、前記メモリ(７)に格納されており、制御回路(４)によって参照可能となっている。
尚、図示する割り当てテーブルは、図７に示す漢字モードの割り当てテーブルと、図８に示す英語モードの割り当てテーブルと、図９に示す英数字モードの割り当てテーブルとを統合したものとなっており、１つの文字入力キーに割り当てられている１つの文字グループは、従来のモード切り換えによって入力することが出来た複数の文字から構成されている。
【００１４】
本発明に係る携帯電話機の文字入力モードとしては、従来と同様に、図７に示す漢字モード、図８に示す英語モード及び図９に示す英数字モードの設定が可能であると共に、図４(ａ)に示す割り当てテーブルに基づく統合モードの設定が可能である。
【００１５】
図３は、統合モードにおけるキー操作に応じた文字入力の手続きを表わしている。
先ずステップＳ１にて、何れかの文字入力キーの操作があったかどうかを判断し、イエスと判断されたときは、ステップＳ２に移行して、操作された文字入力キーを判別する。次にステップＳ３では、操作された文字入力キーに割り当てられている文字グループの内、１回目の操作に割り当てられている小グループの中の先頭の文字と、該小グループに含まれている複数の文字(グループ文字)とをディスプレイに表示する。
【００１６】
例えば図５(ａ)に示す如く、“２”ボタンを押下した場合は、先頭文字として「か」を文字入力画面(81)に表示すると共に、グループ文字として「か カ Ａ ａ ２」を補助画面(82)に表示する。
尚、補助画面(82)に表示されている複数の文字は、前記方向キー(92)の操作によってカーソルを移動させることにより、１つを選択することが出来る。
【００１７】
次に図３のステップＳ４では、カーソル移動操作があったかどうかを判断し、イエスと判断されたときはステップＳ５にて補助画面(82)内でカーソルを移動させる。そして、ステップＳ６では、前記ＯＫキー(93)による確定操作があったかどうかを判断し、ノーと判断されたときはステップＳ４に戻って、カーソル移動処理を繰り返す。
その後、ステップＳ６にてイエスと判断されると、ステップＳ７に移行して、確定された文字をディスプレイに表示する。
【００１８】
例えば図５(ａ)の如く「か」が選択された状態で、ＯＫキー(93)によって確定操作が行なわれると、同図(ｂ)の如く文字入力画面(81)に確定文字「か」を表示する。但し、ＯＫキー(93)の操作を行なうことなく、次の文字入力キーの操作を行なうことによって、補助画面(82)で選択されている文字を確定させることも出来る。
【００１９】
次に図３のステップＳ８では、続いて文字入力キーの操作があったかどうかを判断し、イエスと判断されたときはステップＳ２に戻って、入力された文字の表示を繰り返す。
尚、同じ文字入力キーが連続して複数回操作されたときは、図４の文字割り当てテーブルに従って、操作回数に対応する小グループの文字を補助画面(82)に表示する。
【００２０】
例えば図５(ｂ)の如く、“７”ボタンを２回押下して「み」が入力された場合、文字入力画面(81)の「か」の後に、先頭文字として「み」を表示すると共に、補助画面(82)にグループ文字として「み ミ Ｑ ｑ」を表示する。そして、方向キー(92)の操作に応じて補助画面(82)内でカーソルを移動させる。例えば「み」を選択した状態でＯＫキー(93)が操作され、未確定の「み」が確定されると、図５(ｃ)の如く文字入力画面(81)の「か」の後に、確定された「み」を表示する。
【００２１】
その後、図３のステップＳ８にてノーと判断されたときは、ステップＳ９に移行して、変換キー(94)の操作があったかどうかを判断し、イエスと判断されたときはステップＳ１０にてかな−漢字変換処理を実行する。続いてステップＳ１１では、確定操作があったかどうかを判断し、ノーの場合はステップＳ９に戻って変換処理を繰り返す。そして、ステップＳ１１にてイエスと判断されたとき、ステップＳ１２に移行して、変換された文字をディスプレイに表示する。
【００２２】
例えば図６(ｄ)の如く「かみ」で変換キー(94)が操作された場合、補助画面(82)には、「紙 神 髪 加味」を表示し、方向キー(92)の操作によって「紙」が選択された状態でＯＫキー(93)が押下されると、同図(ｅ)の如く未確定の「紙」を確定し、確定された「紙」を文字入力画面(81)に表示する。
【００２３】
上記本発明の携帯電話機によれば、文字入力モードを統合モードに維持したまま、漢字モード、英語モード及び英数字モードの間のモード切り換えを行なうことなく、ひらがな、カタカナ、ローマ字及び数字からなる文章を入力することが出来る。
【００２４】
例えば「今日２時にＬＯＦＴ」という文章を入力する場合、文字入力モードを統合モードに設定した状態で、次の操作を行なうこととなる。
１．“２”ボタンを２回押す。これによって「き キ Ｂ ｂ」が表示される。そこで「き」を選択すると、「き」が表示される。
２．“８”ボタンを３回押す。これによって「よ ょ ヨ ョ Ｖ ｖ」が表示される。「ょ」を選択すると、「ょ」が表示される。
３．“１”ボタンを３回押す。これによって「う ぅ ウ ゥ １」が表示される。「う」を選択すると、「う」が表示される。
４．変換キーを操作する。これによって「きょう」が「今日」に変換され、確定操作によって「今日」が表示される。
５．“２”ボタンを１回押す。これによって「か カ Ａ ａ ２」が表示される。「２」を選択すると、「２」が表示される。
６．“３”ボタンを２回押す。これによって「し シ Ｅ ｅ」が表示される。「し」を選択し、＊ボタンを押すと、「じ」が表示される。
７．変換キーを操作する。これによって「じ」が「時」に変換され、確定操作によって「時」が表示される。
８．“５”ボタンを２回押す。これによって「に ニ Ｋ ｋ」が表示される。「に」を選択すると、「に」が表示される。
９．“５”ボタンを３回押す。これによって「ぬ ヌ Ｌ ｌ」が表示される。「Ｌ」を選択すると、「Ｌ」が表示される。
１０．“６”ボタンを３回押す。これによって「ふ フ Ｏ ｏ」が表示される。「Ｏ」を選択すると、「Ｏ」が表示される。
１１．“３”ボタンを３回押す。これによって「す ス Ｆ ｆ」が表示される。「Ｆ」を選択すると、「Ｆ」が表示される。
１２．“８”ボタンを３回押す。これによって「や ヤ Ｔ ｔ ８」が表示される。「Ｔ」を選択すると、「Ｔ」が表示される。
【００２５】
上述の一連の操作において文字入力モードの切り換えは不要である。又、従来の文字入力方式に比べてキー操作の回数が増加することもない。従って、ユーザは、モード切り換えに煩わされることなく、文字入力に専念することが出来、文字入力の操作性が飛躍的に向上する。
又、文字グループの表示においては、一度に高々７つの文字を補助画面(82)に表示すればよいので、大型のディスプレイでは表示スペースが問題になることはなく、１つの文字を選択する操作も方向キー(92)の操作によって容易に行なうことが出来る。
【００２６】
尚、本発明の各部構成は上記実施の形態に限らず、特許請求の範囲に記載の技術的範囲内で種々の変形が可能である。例えば、図４(ａ)に示す割り当てテーブルに代えて、同図(ｂ)に示す割り当てテーブルを採用することも可能である。この場合、変換キーの操作によって、ひらがなをカタカナに変換し、ローマ字の大文字を小文字に変換する。
【図面の簡単な説明】
【図１】本発明に係る携帯電話機の構成を示すブロック図である。
【図２】該携帯電話機の正面図である。
【図３】該携帯電話機における文字入力手続きを表わすフローチャートである。
【図４】各文字入力キーに対する文字割り当てテーブルを示す図表である。
【図５】文字入力時の画面表示例の前半を示す図である。
【図６】該画面表示例の後半を示す図である。
【図７】従来の漢字モードにおける割り当て文字テーブルを示す図表である。
【図８】従来の英語モードにおける割り当て文字テーブルを示す図表である。
【図９】従来の英数字モードにおける割り当て文字テーブルを示す図表である。
【符号の説明】
(４)  制御回路
(７)  メモリ
(８)  ディスプレイ
(９)  文字入力キー
(91)  テンキー
(92)  方向キー
(93)  ＯＫキー
(94)  変換キー
【図１】
0003979875.tif 000002
【図２】
0003979875.tif 000003
【図３】
0003979875.tif 000004
【図４】
0003979875.tif 000005
【図５】
0003979875.tif 000006
【図６】
0003979875.tif 000007
【図７】
0003979875.tif 000008
【図８】
0003979875.tif 000009
【図９】
0003979875.tif 000010